(57)【要約】      （修正有）【課題】自由勾配形側溝の構築において、現場における作業能率を改善可能な側溝及び側溝の構築方法を提供する。【解決手段】下部ブロック２、耐圧物質層６、中間ブロック７及び上部ブロック８で側溝を構成する。下部ブロック２は底板３と、該底板左右端部に全長に亘って立設した一対の立上部４と、該立上部の下端から外側に張り出した張出板部５を一体成形する。耐圧物質層６は前記張出板部５の上面に形成する。中間ブロック７は板状で前記耐圧物質層６の上に長さ方向に沿って載置する。上部ブロック８は断面が逆Ｕ字状をなし、前記一対の立上部に外嵌すると共に前記中間ブロック７の上に支持させる。現場打ちコンクリートを要しないので現場作業が容易であり、コンクリートの硬化を待つ必要がないので、工期を早くすることができる。【選択図】      図１
2008050812.tif 000002
【特許請求の範囲】
【請求項１】
底板と、該底板左右端部に全長に亘って立設した一対の立上部と、該立上部の下端から外側に張り出した張出板部を一体成形してなる下部ブロックと、前記張出板部の上面に形成した耐圧物質層と、該耐圧物質層の上に長さ方向に沿って載置した板状の中間ブロックと、断面が逆Ｕ字状をなす上部ブロックを有し、該上部ブロックの左右側板が前記一対の立上部に外嵌すると共に、前記中間ブロックの上に支持されていることを特徴とする側溝。
【請求項２】
地面を掘削する工程と、該掘削部分に、底板と該底板左右端部に全長に亘って立設した一対の立上部と該立上部の下端から外側に張り出した張出板部を一体成形してなる下部ブロックを敷設する工程と、前記張出板部の上面に耐圧物質層を形成する工程と、該耐圧物質層の上に板状の中間ブロックを載置する工程と、断面が逆Ｕ字状をなす上部ブロックの左右側板を前記一対の立上部に外嵌すると共に前記中間ブロックの上に支持させて側溝を形成する工程と、該側溝の周囲を埋め戻す工程とを有することを特徴とする側溝の構築方法。
【請求項３】
請求項２の側溝の構築方法において、前記下部ブロックを敷設する工程の後に、前記張出板部の周囲を埋め戻す工程を有することを特徴とする側溝の構築方法。
【発明の詳細な説明】
【技術分野】
【０００１】
本発明は、いわゆる自由勾配型の側溝、およびその構築方法に関する。
【背景技術】
【０００２】
いわゆる自由勾配形の側溝は、断面が逆Ｕ字形のブロックを連続して敷設し、底部に現場打コンクリートを打設して所望の勾配の底面を形成するものである。側溝底面に所望の水勾配を形成できる反面、側溝底部のコンクリート打設及びコテ仕上げ作業がきわめて煩雑であり、側溝底面を流水効率のよいインバート形状に仕上げることができないという問題があった。
【０００３】
このような問題を解決するため、下記特許文献１には、自由勾配型の側溝の下部をプレキャスト化した技術が開示されている。図８に示すように、この側溝２０は下部ブロック２１、上部ブロック２６及び調整コンクリート２５からなる。下部ブロック２１は底板２２、底板２２の左右端部に立設した一対の立上部２３及び立上部２３の下端から外側に張り出した張出板部２４を一体成形したコンクリートブロックである。上部ブロック２６は対向する一対の側板２７の上部を天板２８で連結した逆Ｕ字状をしている。排水勾配に合わせて下部ブロック２１を敷設し、外側に当て板（型枠）を施して張出板部２４の上に調整コンクリート２５を打設する。調整コンクリートが硬化した後、上部ブロック２６を立上部２３に外嵌すると共に、調整コンクリート２５に支持させて敷設する。なお、図中符号２９は水を側溝内に流入させるためのスリットである。
【特許文献１】特開２０００−２７２７７
【発明の開示】
【発明が解決しようとする課題】
【０００４】
上記特許文献１の技術は、煩雑な側溝底部のコンクリート打設及びコテ仕上げ作業が不要で、現場における作業能率が大幅に改善され、工場生産で下部ブロックを生産するため側溝底面を流水効率のよいインバート形状にすることができるという大きなメリットを有するものである。しかし、張出板部２４の上に、当て板（型枠）を施して、調整コンクリート２５を打設する作業がやや煩雑であり、また、調整コンクリート２５が硬化しないと上部ブロック２６を敷設できないという問題があった。本発明は、現場における作業能率をさらに改善できる自由勾配型の側溝、およびその構築方法を開発することを課題としてなされたものである。
【課題を解決するための手段】
【０００５】
本発明は、底板と、該底板左右端部に全長に亘って立設した一対の立上部と、該立上部の下端から外側に張り出した張出板部を一体成形してなる下部ブロックと、前記張出板部の上面に形成した耐圧物質層と、該耐圧物質層の上に長さ方向に沿って載置した板状の中間ブロックと、断面が逆Ｕ字状をなす上部ブロックを有し、該上部ブロックの左右側板が前記一対の立上部に外嵌すると共に、前記中間ブロックの上に支持されていることを特徴とする側溝である。本発明において耐圧物質層とは、コンクリートなどと違って、硬化を待たずして耐圧機能を発揮する物質（例えば砂利、砕石、砂、ガラス粒、又はこれらの混合物など）により形成した層である。
【０００６】
また本発明は、地面を掘削する工程と、該掘削部分に、底板と該底板左右端部に全長に亘って立設した一対の立上部と該立上部の下端から外側に張り出した張出板部を一体成形してなる下部ブロックを敷設する工程と、前記張出板部の上面に耐圧物質層を形成する工程と、該耐圧物質層の上に板状の中間ブロックを載置する工程と、断面が逆Ｕ字状をなす上部ブロックの左右側板を前記一対の立上部に外嵌すると共に前記中間ブロックの上に支持させて側溝を形成する工程と、該側溝の周囲を埋め戻す工程とを有することを特徴とする側溝の構築方法である。この構築方法により、前記の本発明側溝を容易に構築できる。
【０００７】
また本発明は、前記側溝の構築方法において、前記下部ブロックを敷設する工程の後に、前記張出板部の周囲を埋め戻す工程を有することを特徴とする側溝の構築方法である。張出板部の周囲を埋め戻すことで、張出板部の上面に安定した耐圧物質層を容易に形成することができる。
【発明の効果】
【０００８】
本発明の側溝は、調整コンクリートを打設しないので、現場作業が容易であり、コンクリートの硬化を待つ必要もないので、工期を早くすることができる。上部ブロックを敷設する高さは、中間ブロックを敷設するときに確認でき、中間ブロックは板状で軽量であるので、中間ブロックの敷設時に高さ不良があっても、容易に高さ調整を行うことができる。
【実施例】
【０００９】
以下、実施例を表した図面に基づいて本発明を詳細に説明する。図１は実施例の側溝１の断面図、図２は側溝１の側面図、図３は下部ブロック２を敷設した状態の断面図、図４、７は中間ブロック７を敷設した状態の断面図、図５は上部ブロック８を敷設した状態の断面図、図６は側溝１の構築が完了した状態の断面図である。
【００１０】
図１、２に示すように、側溝１は下部ブロック２、耐圧物質層６、中間ブロック７及び上部ブロック８からなる。下部ブロック２は、流水路の底部である底板３と、底板３の左右端部に全長に亘って立設した一対の立上部４と、両側の立上部４の下端から外側水平方向に張り出した張出板部５をコンクリートで一体成形してなる。耐圧物質層６は砂利、砕石、砂、ガラス粒、又はこれらを混合した非硬化性物質で形成しているが、特に砂利又は砕石が好適である。中間ブロック７は板状のコンクリートブロックで、側溝の全長に亘って敷設するのが望ましいが、若干の間隙をもって敷設してもよい。上部ブロック８は対向する側板９の上部を天板１０で連結するようにコンクリートで一体成形したものである。側板９が立上部４に外嵌できるように、側板９の内法幅は立上部４の外法幅よりも若干広く形成されている。側板９の上部には、水を側溝内に流入させるための流入孔１１が所定間隔で形成されている。図２は、下部ブロック２を水勾配を付けて敷設し、上部ブロック８を水平に敷設した場合の例を示している。
【００１１】
次に、図３〜図７に基づいて、側溝１の構築方法について説明する。図３は側溝を構築すべき部分の土を掘削し、この掘削部１２に適宜の地業１３を施し、その上に下部ブロック２を敷設した状態である。地業１３は、割栗地業、砕石地業など適宜のものを選択でき、その上に捨てコンクリートを施工してもよい。下部ブロック２は、従来と同様に、排水水勾配に合わせて敷設する。
【００１２】
図４は、図３の状態から、張出板部５の上に耐圧物質層６を形成し、さらにその上に中間ブロック７を敷設した状態である。張出板部５の周囲は砂利などの耐圧物質層６を形成する材料で埋め戻しているので、安定した耐圧物質層６を張出板部５の上に確実に形成できる。中間ブロック７は、その上に敷設するべき上部ブロック８の高さに合わせて敷設する。すなわち、中間ブロック上面のレベルを確認しながら、下側の耐圧物質の量を調整して高さの微調整を行う。中間ブロックは板状で軽量であるので、高さの微調整を容易に行うことができる。図７は、張出板部５の周囲の埋め戻し１８を土砂で行った場合である。土砂の埋め戻し１８は張出部５の上面とほぼ同じレベルまで行うことが望ましい。土砂の埋め戻し１８を行った後は、張出板部５の上に耐圧物質層６を形成し、さらにその上に中間ブロック７を敷設する。張出板部５の周囲を土砂で埋め戻すと、この埋め戻す部分の容積が大きい場合でも、安価に施工することができる。
【００１３】
図５は、図４の状態から、上部ブロック８を敷設した状態である。上部ブロック８は、その左右側板９が立上部４に外嵌するように上から吊り降ろし、中間ブロック７の上に支持させ、側溝１を形成する。上部ブロック８の重量は中間ブロック７、耐圧物質層６を経て張出板部５に伝達されるので、上部ブロックがその重みで沈下するおそれはない。
【００１４】
図６は、図５の状態から、側溝１の周囲を土砂で埋め戻し１４を行い、さらに車道１５、縁石１６及び歩道１７を形成し、側溝１の構築が完了した状態である。雨水は車道１５の舗装内を伏流し、流入孔１１から側溝１内に流入する。本実施例は流入孔１１が側板９の上部に形成されている例を示したが、流入孔１１に代えて天板１０にスリット、グレーチングを設けるなどしてもよい。
【図面の簡単な説明】
【００１５】
【図１】実施例の側溝１の断面図である。
【図２】側溝１の側面図である。
【図３】下部ブロック２を敷設した状態の断面図である。
【図４】中間ブロック７を敷設した状態の断面図である。
【図５】上部ブロック８を敷設した状態の断面図である。
【図６】側溝１の構築が完了した状態の断面図である。
【図７】中間ブロック７を敷設した状態の断面図である。
【図８】従来の側溝２０の断面図である。
【符号の説明】
【００１６】
１  側溝
２  下部ブロック
３  底板
４  立上部
５  張出板部
６  耐圧物質層
７  中間ブロック
８  上部ブロック
９  側板
１０  天板
１１  流入孔
１２  掘削部
１３  地業
１４  埋め戻し
１５  車道
１６  縁石
１７  歩道
１８  埋め戻し
２０  側溝
２１  下部ブロック
２２  底板
２３  立上部
２４  張出板部
２５  調整コンクリート
２６  上部ブロック
２７  側板
２８  天板
２９  スリット
【図１】
2008050812.tif 000003
【図２】
2008050812.tif 000004
【図３】
2008050812.tif 000005
【図４】
2008050812.tif 000006
【図５】
2008050812.tif 000007
【図６】
2008050812.tif 000008
【図７】
2008050812.tif 000009
【図８】
2008050812.tif 000010